(57)【要約】【課題】導電振動スピーカユニットと圧電振動スピーカユニットとを組み合わせたハイブリッド型スピーカの新規な構成を提供する。【解決手段】第一音響手段を構成する実質的密閉空間である音響干渉室１８において、導電振動スピーカユニット２０の駆動によって生ずる疎密波と圧電振動スピーカユニット２５の第一圧電素子２２、第二圧電素子２３の駆動によって生ずる疎密波とを干渉させて第一の合成疎密波を生成する。さらに、圧電振動スピーカユニットの第一振動板２６と第二振動板３２との間の空隙部３３が第二音響振動手段となって、第一の合成疎密波と圧電振動スピーカユニットの第三圧電素子２４の駆動によって生ずる疎密波とを干渉させて第二の合成疎密波を生成する。第一及び第二の圧電素子は第一振動板に中心支持されて第一音響手段内に位置し、第三の圧電素子は第二振動板に中心支持されて第二音響手段内に位置する。【選択図】図１
2007180798.tif 000002
【特許請求の範囲】
【請求項１】
導電振動スピーカユニットと圧電振動スピーカユニットとを組み合わせてなるハイブリッド型スピーカにおいて、導電振動スピーカユニットの駆動によって生ずる疎密波と圧電振動スピーカユニットの駆動によって生ずる疎密波とを干渉させて第一の合成疎密波を生成する第一音響干渉手段と、この第一の合成疎密波と圧電振動スピーカユニットの駆動によって生ずる疎密波とを干渉させて第二の合成疎密波を生成する第二音響手段とを備えることを特徴とする、ハイブリッド型スピーカ。
【請求項２】
第一音響干渉手段がスピーカボックス内の実質的密閉空間として形成され、第二音響干渉手段が該実質的密閉空間と外界との間の開放領域として形成されることを特徴とする、請求項１記載のハイブリッド型スピーカ。
【請求項３】
導電振動スピーカユニットが第一エンクロージャに設けられると共に、圧電振動スピーカユニットが第一エンクロージャの上方に位置する第二エンクロージャに設けられ、第一エンクロージャ内に形成される実質的密閉空間が第一音響干渉手段として働くことを特徴とする、請求項１または２記載のハイブリッド型スピーカ。
【請求項４】
圧電振動スピーカユニットが、第二エンクロージャの少なくとも一面に形成された開口部に対して振動可能に取着された第一振動板と、第一振動板に中心支持された一または複数の内側圧電素子と、第一振動板の外側に適当間隔をおいて連結された第二振動板と、第二振動板に中心支持された一または複数の外側圧電素子とを備えて構成され、第一振動板と第二振動板との間の空隙部が第二音響干渉手段として働くことを特徴とする、請求項３記載のハイブリッド型スピーカ。
【請求項５】
第二振動板は第一振動板より大きく、且つ、第一振動板より低密度の材料で形成されることを特徴とする、請求項４記載のハイブリッド型スピーカ。
【請求項６】
圧電振動スピーカユニットが第一エンクロージャと第二エンクロージャとを仕切る仕切板に第二エンクロージャに向けて配置されることを特徴とする、請求項３ないし５のいずれか４記載のハイブリッド型スピーカ。
【請求項７】
第一エンクロージャと第二エンクロージャの内部空間を連通させる連通手段が形成され、圧電振動スピーカユニットの駆動によって第一エンクロージャの内部空間に発生した疎密波を該連通手段を介して第二エンクロージャ内に進入させるようにしたことを特徴とする、請求項６記載のハイブリッド型スピーカ。
【請求項８】
第一エンクロージャと第二エンクロージャの内部空間を仕切る仕切板が設けられ、この仕切板を貫通する連通路が上記連通手段を構成することを特徴とする、請求項７記載のハイブリッド型スピーカ。
【請求項９】
圧電振動スピーカユニットが仕切板に第二エンクロージャに向けて配置され、圧電振動スピーカユニットの駆動によって発生する疎密波が直接第二エンクロージャの内部空間を進行すると共に、圧電振動スピーカユニットの背面側から第一エンクロージャの内部空間に発生した疎密波は連通路を介して第二エンクロージャに進入することを特徴とする、請求項８のハイブリッド型スピーカ。
【請求項１０】
圧電振動スピーカユニットが第一エンクロージャの側面に外方に向けて配置され、圧電振動スピーカユニットの駆動によって圧電振動スピーカユニットの背面側から第一エンクロージャの内部空間に発生した疎密波を前記連通手段を介して第二エンクロージャに進入させるようにしたことを特徴とする、請求項６記載のハイブリッド型スピーカ。
【請求項１１】
前記連通手段が、第一エンクロージャの第二エンクロージャの頂面に形成した貫通孔と、この貫通孔と略整列して第二エンクロージャの底面を貫通して第二エンクロージャの内部空間で開口する案内管とを有してなることを特徴とする、請求項１０記載のハイブリッド型スピーカ。
【請求項１２】
案内管が圧電振動スピーカユニットの内側及び外側圧電素子の中心と略々高さ位置で開口していることを特徴とする、請求項１１記載のハイブリッド型スピーカ。
【請求項１３】
前記連通手段が、第一エンクロージャから第二エンクロージャに伝わる音圧を調整するために貫通孔に嵌着される音圧調整ブッシュを更に有することを特徴とする、請求項１０または１１記載のハイブリッド型スピーカ。
【発明の詳細な説明】
【技術分野】
【０００１】
本発明は導電振動スピーカユニットと圧電振動スピーカユニットとを組み合わせて用いたハイブリッド型スピーカシステムに関する発明である。
【背景技術】
【０００２】
スピーカシステムとしては古くから導電型振動体を用いたダイナミックスピーカが普及しているが、その機構・原理上、原音を忠実に再現することがほとんど不可能であるという致命的な欠陥を抱えている。
【０００３】
また、バイモルフなどの圧電型振動体を用いたスピーカ（セラミックスピーカなどとも呼ばれる）も開発されているが、中高音の再現性には優れているものの、振幅が小さいことから迫力ある低音を出すことが困難である。
【０００４】
そこで、圧電型振動体と導電型振動体の両方を具備したハイブリッド型スピーカが提案されるに至っている。たとえば、下記特許文献１には、音響振動板に高音用一次振動板と低音用一次振動体を介して取着された圧電型振動体と導電型振動体を具備するスピーカシステムが開示されている。
【特許文献１】特開２００１−２３８２８５号公報  また、下記特許文献２には、スピーカボックス内に、ダイナミックスピーカを備える大容積部と、複数の圧電振動板によって駆動する音響振動板を備える小容積部とが隔壁によって分離された実質的密閉空間として設けられた構成のスピーカシステムが開示されている。このスピーカシステムでは、ダイナミックスピーカが低音を担当し、音響振動板を高音を担当する。
【特許文献２】実用新案登録第３０３７１６７号公報
【発明の開示】
【発明が解決しようとする課題】
【０００５】
しかし、上記特許文献１，２に開示されるようなハイブリッド型スピーカは、圧電型振動体を単独で用いた場合に比べてある程度は低音特性の改善効果が認められるものの、必ずしも満足できる性能を発揮できるものではなかった。
【０００６】
すなわち、特許文献１記載のスピーカシステムでは圧電型振動体と導電型振動体とが隣接して配置されているため、導電型振動体から発せられる音圧の影響により圧電型振動体が必要以上に振動してしまい、高音域ではクリアな音を発生させることができるが、中音域において所望音圧を再現することができない。
【０００７】
また、特許文献２記載のスピーカシステムにおいては、ダイナミックスピーカからの低音と圧電振動板スピーカからの高音とが別個の容積部からそれぞれ発生するため、融合性を欠いた不自然な音として聴取されやすいという課題がある。
【課題を解決するための手段】
【０００８】
本発明者らは、導電型振動体（ダイナミックスピーカ）と圧電型振動体（セラミックスピーカ）とを組み合わせたハイブリッド型スピーカシステムについてさらに研究と開発を重ねた結果、これら各振動体から放出される疎密波をスピーカボックス内で一次干渉させて新たな疎密波を合成し、この合成した疎密波を外部に出力することによって、従来では得ることのできなかった「いい音」として人間の耳に聴取されることを知見して、本発明を完成するに至った。
【０００９】
本発明は、従来のスピーカが原音の忠実再現性を追及していたのとは全く異なる音響理念に準拠している。スピーカの音響再現メカニズムが、空気の粗密波という物理的現象である原音を電気信号に変換して増幅し、それを再度粗密波に変換して音として再生するというものである限り、原音を忠実に再現するという命題にはそもそも本質的に限界があり、これを追求しても満足のいく結果を得ることは不可能である。これに対し、本発明のハイブリッド型スピーカシステムは、導電振動スピーカと圧電振動スピーカを単に組み合わせて用いるだけでなく、各々から放出される粗密波を単一の実質的密閉空間内で混合することにより新たな粗密波を生成し、言い換えれば新たな音を生成し、これを出力することを提案するものである。
【００１０】
すなわち、請求項１に係る本発明は、導電振動スピーカユニットと圧電振動スピーカユニットとを組み合わせてなるハイブリッド型スピーカにおいて、導電振動スピーカユニットの駆動によって生ずる疎密波と圧電振動スピーカユニットの駆動によって生ずる疎密波とを干渉させて第一の合成疎密波を生成する第一音響干渉手段と、この第一の合成疎密波と圧電振動スピーカユニットの駆動によって生ずる疎密波とを干渉させて第二の合成疎密波を生成する第二音響手段とを備えることを特徴とする。
【００１１】
請求項２に係る本発明は、請求項１記載のハイブリッド型スピーカにおいて、第一音響干渉手段がスピーカボックス内の実質的密閉空間として形成され、第二音響干渉手段が該実質的密閉空間と外界との間の開放領域として形成されることを特徴とする。
【００１２】
請求項３に係る本発明は、請求項１または２記載のハイブリッド型スピーカにおいて、導電振動スピーカユニットが第一エンクロージャに設けられると共に、圧電振動スピーカユニットが第一エンクロージャの上方に位置する第二エンクロージャに設けられ、第一エンクロージャ内に形成される実質的密閉空間が第一音響干渉手段として働くことを特徴とする。
【００１３】
請求項４に係る本発明は、請求項３記載のハイブリッド型スピーカにおいて、圧電振動スピーカユニットが、第二エンクロージャの少なくとも一面に形成された開口部に対して振動可能に取着された第一振動板と、第一振動板に中心支持された一または複数の内側圧電素子と、第一振動板の外側に適当間隔をおいて連結された第二振動板と、第二振動板に中心支持された一または複数の外側圧電素子とを備えて構成され、第一振動板と第二振動板との間の空隙部が第二音響干渉手段として働くことを特徴とする。
【００１４】
請求項５に係る本発明は、請求項４記載のハイブリッド型スピーカにおいて、第二振動板は第一振動板より大きく、且つ、第一振動板より低密度の材料で形成されることを特徴とする。
【００１５】
請求項６に係る本発明は、請求項３ないし５のいずれか４記載のハイブリッド型スピーカにおいて、圧電振動スピーカユニットが第一エンクロージャと第二エンクロージャとを仕切る仕切板に第二エンクロージャに向けて配置されることを特徴とする。
【００１６】
請求項７に係る本発明は、請求項６記載のハイブリッド型スピーカにおいて、第一エンクロージャと第二エンクロージャの内部空間を連通させる連通手段が形成され、圧電振動スピーカユニットの駆動によって第一エンクロージャの内部空間に発生した疎密波を該連通手段を介して第二エンクロージャ内に進入させるようにしたことを特徴とする。
【００１７】
請求項８に係る本発明は、請求項７記載のハイブリッド型スピーカにおいて、第一エンクロージャと第二エンクロージャの内部空間を仕切る仕切板が設けられ、この仕切板を貫通する連通路が上記連通手段を構成することを特徴とする。
【００１８】
請求項９に係る本発明は、請求項８のハイブリッド型スピーカにおいて、圧電振動スピーカユニットが仕切板に第二エンクロージャに向けて配置され、圧電振動スピーカユニットの駆動によって発生する疎密波が直接第二エンクロージャの内部空間を進行すると共に、圧電振動スピーカユニットの背面側から第一エンクロージャの内部空間に発生した疎密波は連通路を介して第二エンクロージャに進入することを特徴とする。
【００１９】
請求項１０に係る本発明は、請求項６記載のハイブリッド型スピーカにおいて、圧電振動スピーカユニットが第一エンクロージャの側面に外方に向けて配置され、圧電振動スピーカユニットの駆動によって圧電振動スピーカユニットの背面側から第一エンクロージャの内部空間に発生した疎密波を前記連通手段を介して第二エンクロージャに進入させるようにしたことを特徴とする。
【００２０】
請求項１１に係る本発明は、請求項１０記載のハイブリッド型スピーカにおいて、前記連通手段が、第一エンクロージャの第二エンクロージャの頂面に形成した貫通孔と、この貫通孔と略整列して第二エンクロージャの底面を貫通して第二エンクロージャの内部空間で開口する案内管とを有してなることを特徴とする。
【００２１】
請求項１２に係る本発明は、請求項１１記載のハイブリッド型スピーカにおいて、案内管が圧電振動スピーカユニットの内側及び外側圧電素子の中心と略々高さ位置で開口していることを特徴とする。
【００２２】
請求項１３に係る本発明は、請求項１０または１１記載のハイブリッド型スピーカにおいて、前記連通手段が、第一エンクロージャから第二エンクロージャに伝わる音圧を調整するために貫通孔に嵌着される音圧調整ブッシュを更に有することを特徴とする。
【発明の効果】
【００２３】
本発明は、導電振動スピーカユニットと圧電振動スピーカユニットとを組み合わせたハイブリッド型スピーカシステムにおいて、第一音響手段において、導電振動スピーカユニットの駆動によって生ずる疎密波と圧電振動スピーカユニットの駆動によって生ずる疎密波とを干渉させて第一の合成疎密波を生成し、さらに、この第一の合成疎密波と圧電振動スピーカユニットの駆動によって生ずる疎密波とを干渉させて第二の合成疎密波を生成するものであり、従来とは全く異なる発想に基づいて、新たな粗密波を生成し、言い換えれば新たな音を生成する。
【発明を実施するための最良の形態】
【００２４】
以下、添付図面を参照して本発明の好適な実施形態について説明する。
【実施例１】
【００２５】
図１は実施例１によるハイブリッド型スピーカシステム１０を示す。このハイブリッド型スピーカシステム１０は、縦長のスピーカボックス１２が仕切板１４により下方の小空間部１６と上方の大空間部１８とに区画されている。上方の大空間部１８は、後述するように、導電振動スピーカユニット２０の駆動による疎密波と圧電振動スピーカユニット２５の駆動による疎密波とが互いに干渉し合って新たな合成疎密波を生成するための第一音響干渉手段ないし音響干渉室として働く。
【００２６】
仕切板１４には、導電型振動体よりなる導電振動スピーカユニット２０がコーン２１を上向きにして大空間部１８に開口するようにして取着されている。また、仕切板１４には、下方小空間部１６と上方大空間部１８とを連通するための連通路１７が任意位置に任意数貫通形成されている。すなわち、下方小空間部１６は実質的に密閉された空間であるが、連通路１７を介して上方大空間部１８と通じている。
【００２７】
上方大空間部１８の一面を構成するスピーカボックス１２の前面パネル１３には、第一圧電素子２２、第二圧電素子２３及び第三圧電素子２４を備えた圧電振動スピーカユニット２５が取着されている。
【００２８】
第一圧電素子２２と第二圧電素子２３は、第一振動板２６に固定された心棒２７に適当間隔をおいて同軸に中心支持された円盤状の圧電振動板２２ａ，２３ａと、該圧電振動板の外周に固着された環状部材２２ｂ，２３ｂとを有して構成されている。圧電振動板２２ａ，２３ａは、公知のように、黄銅などの金属製の薄円板の両側面にチタン酸バリウムやチタン酸ジルコン酸鉛などの強誘電性セラミックス材料による薄円板を接合して形成することができる。環状部材２２ｂ，２３ｂはたとえばゴム製であり、振動制御片ないし慣性質量体として働く。
【００２９】
第一振動板２６は発泡スチロールやベニア（航空ベニアを含む）などで形成され、支持フレーム２８に対して振動可能に取り付けられている。詳しくは、図２に示すように、スピーカボックス１２の前面パネル１３から若干後退した位置に支持フレーム２８が固定され、該支持フレーム２８の前面側にフレーム開口２８ａに突出するように接着剤などで四周枠状のゴムダンパー２９が固定され、このゴムダンパー２９に対して第一振動板２６を接着剤などで固定している。
【００３０】
第一振動板２６には任意箇所に任意数の開口３０が形成されている。この開口３０は、後述するように、上部大空間部１８内での一次干渉によって生成されたハイブリッド音を外部に放出するための放音孔として働く。
【００３１】
第一振動板２６に間座３１を介して第二振動板３２が連結されている。第二振動板３２も第一振動板２６と同様に発泡スチロール、ベニア（航空ベニアを含む）やバイオリン甲板のような木質板などで形成されるが、第一振動板２６より高密度の材料で形成されている。また、第二振動板３２は第一振動板２６より大きな寸法を有することが好ましく、任意の形状に形成される。
【００３２】
第二振動板３２は間座３１を介して第一振動板２６と連結されているので、第一振動板２６と第二振動板３２との間には空隙部３３が形成される。そして、前述の第三圧電素子２４は、この空隙部３３に臨むように第二振動板３２に取着されており、第二振動板３２に固定された心棒３４に中心支持された円盤状の圧電振動板２４ａと、該圧電振動板の外周に固着された環状部材２４ｂとを有して構成されている。圧電振動板２４ａ及び環状部材２４ｂについては、前述の第一及び第二圧電素子２２，２３における圧電振動板２２ａ，２３ａ及び環状部材２２ｂ，２３ｂについての記載を参照されたい。
【００３３】
第一振動板２６と第二振動板３２との間の空隙部３３は、後述するように、音響干渉室としての上方大空間部１８で合成された疎密波と第三圧電素子２４の駆動による疎密波とが互いに干渉し合って新たな疎密波を合成するための第二音響干渉手段ないし音響干渉界として働く。
【００３４】
以上のように構成された本実施例のハイブリッド型スピーカシステム１０の作用について説明する。
【００３５】
導電振動スピーカユニット２０と圧電振動スピーカユニット２５にアンプ（図示せず）から同一のオーディオ信号が印加されると、該オーディオ信号の電圧レベルに応じて、導電振動スピーカユニット２０のコーン２１及び圧電振動スピーカユニット２５の圧電振動板２２ａ，２３ａ，２４ａが振動して空気の疎密波を生成する。
【００３６】
導電振動スピーカユニット２０からの疎密波は比較的緩慢な速度で上方大空間部１８に拡がっていく。導電振動スピーカユニット２０からの疎密波は下方小空間部１６に向けても放出されるが、下方小空間部１６は実質的に閉塞されていて連通路１７のみで上方大空間部１８と通じているので、この疎密波も連通路１７を介して上方大空間部１８に入り込んで進行する。
【００３７】
一方、圧電振動スピーカユニット２５が駆動されると、その第一圧電素子２２と第二圧電素子２３の圧電振動板２２ａ，２３ａの振動によって生ずる疎密波が上方大空間部１８内を比較的速い速度で拡がっていく。したがって、上方大空間部１８において、導電振動スピーカユニット２０からの疎密波（Ａ）と圧電振動スピーカユニット２５の第一圧電素子２２と第二圧電素子２３からの疎密波（Ｂ）とが互いに山・谷を打ち消し合うように干渉し合って一次合成疎密波（Ａ＋Ｂ）を生成する。すなわち、上方大空間部１８は第一音響干渉手段ないし音響干渉室として働く。そして、ここで生成された一次合成疎密波（Ａ＋Ｂ）は、第一振動板２６に形成された放音孔３０を通って空隙部３３に放出される。
【００３８】
また、圧電振動スピーカユニット２５は第三圧電素子２４をも含んでおり、この第三圧電素子２４は第二振動板３２に連結されて空隙部３３内に位置している。したがって、上方大空間部１８で生成され放音孔３０から空隙部３３に放出された一次合成疎密波（Ａ＋Ｂ）は、さらに、第三圧電素子２４の圧電振動板２４ａおよび第二振動板３２の振動によって生ずる疎密波（Ｃ）との間で互いに山・谷を打ち消し合うように干渉し合って二次合成疎密波（Ａ＋Ｂ＋Ｃ）を生成する。すなわち、第一振動板２６と第二振動板３２との間の空隙部３３は第二音響干渉手段ないし音響干渉界として働く。また、第二振動板３２は第一振動板２６に間座３１のみで連結されおり且つ第一振動板２６より低密度の材料で形成されているので、一次合成疎密波（Ａ＋Ｂ）を加勢するように働いて二次合成疎密波（Ａ＋Ｂ＋Ｃ）を生成する。この二次合成疎密波（Ａ＋Ｂ＋Ｃ）がスピーカ１０の外部に放出されることになるが、疎密波（Ａ）、（Ｂ）、（Ｃ）の任意の組み合わせによって二次合成粗密波（Ａ＋Ｂ＋Ｃ）を自在に設定することができ、人間が「いい音」として聴取するハイブリッド音としての無限の可能性を追求することができる。
【実施例２】
【００３９】
図３は実施例２によるハイブリッド型スピーカシステム４０を示す。このハイブリッド型スピーカシステム４０には、下方に導電振動スピーカユニット４２を備えた第一エンクロージャ４１が設けられると共に、上方に圧電振動スピーカユニット４７を備えた第二エンクロージャ４６が設けられている。
【００４０】
第一エンクロージャ４１は導電振動スピーカユニット４２のためのスピーカボックスであり、実質的に密閉空間を与えているが、コーン４３を前面に露出させてその振動によって前方に疎密波を放出している。また、この実施例では、第一エンクロージャ４１内の音圧を外部に放出して低音域を増強するためのバスレフポート４４が後面に開口している。さらに、第一エンクロージャ４１の頂面には貫通孔４５が形成されており、後述する音圧調整ブッシュ５３及び案内管５４を介して第一エンクロージャ４１の内部空間と第二エンクロージャ４６の内部空間とを連通させている。
【００４１】
第二エンクロージャ４６は圧電振動スピーカユニット４７のためのスピーカボックスであり、その前面に第一圧電素子４８、第二圧電素子４９及び第三圧電素子５０を備えた圧電振動スピーカユニット４７が取着されている。これら第一ないし第三の圧電素子４８，４９，５０を備えた圧電振動スピーカユニット４７の構成は、実施例１のハイブリッド型スピーカ１０において第一ないし第三の圧電素子２２，２３，２４を備えた圧電振動スピーカユニット２５と略同一であるので、詳細な説明を割愛するが、第一振動板５１は、実施例１のハイブリッド型スピーカ１０における第一振動板２６とは異なり、放音孔（３０）を有しない。
【００４２】
第二エンクロージャ４６は実質的に密閉された空間を与えているが、第一エンクロージャ４１の頂面貫通穴４５に嵌着された音圧調整ブッシュ５３及び第二エンクロージャ４６の底面に形成された開口（図示せず）に接着剤などで固定された案内管５４を介して、第一エンクロージャ４１の内部空間と第二エンクロージャ４６の内部空間とが連通している。音圧調整ブッシュ５３はたとえばポリエステルなどの合成樹脂材料、金属材料などの平滑面を与える材料で形成される。案内管５４も同様にポリエステルなどの合成樹脂材料、金属材料などで構成することができ、その上端は圧電振動スピーカユニット４７の第一ないし第三圧電素子４８，４９，５０の圧電振動板４８ａ，４９ａ，５０ａの共通軸と略等しい高さ位置まで延長している。
【００４３】
以上のように構成された本実施例のハイブリッド型スピーカシステム４０の作用について説明する。
【００４４】
導電振動スピーカユニット４２と圧電振動スピーカユニット４７にアンプ（図示せず）から同一のオーディオ信号が印加されると、該オーディオ信号の電圧レベルに応じて、導電振動スピーカユニット４２のコーン４３及び圧電振動スピーカユニット４７の圧電振動板４８ａ，４９ａ，５０ａが振動して空気の疎密波を生成する。
【００４５】
導電振動スピーカユニット４２からの疎密波はコーン４３から第一エンクロージャ４１の外部に放出されると共に、第一エンクロージャ４１の内部空間に向けても放出される。この疎密波の進行は比較的緩慢である。そして、第一エンクロージャ４１の内部空間を進行する疎密波は、その上部の音圧調整ブッシュ５３及び案内管５４を通って第二エンクロージャ４６の内部空間へと移動する。
【００４６】
一方、圧電振動スピーカユニット４７が駆動されると、その第一圧電素子４８と第二圧電素子４９の圧電振動板４８ａ，４９ａの振動によって生ずる疎密波が第二エンクロージャ４６の内部に向けて比較的速い速度で拡がっていく。したがって、第二エンクロージャ４６の内部空間において、導電振動スピーカユニット４２からの疎密波（Ａ）と圧電振動スピーカユニット４７の第一圧電素子４８と第二圧電素子４９からの疎密波（Ｂ）とが互いに山・谷を打ち消し合うように干渉し合って一次合成疎密波（Ａ＋Ｂ）を生成する。すなわち第二エンクロージャ４６の内部空間は第一音響干渉手段ないし音響干渉室として働く。そして、ここで生成された一次合成疎密波（Ａ＋Ｂ）は、第一振動板５１の振動を介して、第一振動板５１と第二振動板５２との間の空隙部５５に放出される。
【００４７】
また、圧電振動スピーカユニット４７は第三圧電素子５０を含んでおり、この第三圧電素子５０は第二振動板５２に連結されて空隙部５５内に位置している。したがって、第二エンクロージャ４６で生成されて空隙部５５に放出された一次合成疎密波（Ａ＋Ｂ）は、さらに、第三圧電素子５０の圧電振動板５０ａの振動によって生ずる疎密波（Ｃ）との間で互いに山・谷を打ち消し合うように干渉し合って二次合成疎密波（Ａ＋Ｂ＋Ｃ）を生成する。すなわち、第一振動板５１と第二振動板５２との間の空隙部５５は第二音響干渉手段ないし音響干渉界として働く。また、第二振動板５２は第一振動板５１に間座５６のみで連結されおり且つ第一振動板５１より低密度の材料で形成されているので、一次合成疎密波（Ａ＋Ｂ）を加勢するように働いて二次合成疎密波（Ａ＋Ｂ＋Ｃ）を生成する。この二次合成疎密波（Ａ＋Ｂ＋Ｃ）がスピーカ４０の外部に放出されることになるが、疎密波（Ａ）、（Ｂ）、（Ｃ）の任意の組み合わせによって二次合成粗密波（Ａ＋Ｂ＋Ｃ）を自在に設定することができ、人間が「いい音」として聴取するハイブリッド音としての無限の可能性を追求することができる。
【図面の簡単な説明】
【００４８】
【図１】本発明の実施例１によるハイブリッド型スピーカの側断面図である。
【図２】図１における第一振動板の取付部を示す拡大図である。
【図３】本発明の実施例２によるハイブリッド型スピーカの側断面図である。
【図４】図３のハイブリッド型スピーカの上部からスピーカボックス内部を覗いた図である。
【符号の説明】
【００４９】
１０  ハイブリッド型スピーカシステム
１２  スピーカボックス
１４  仕切板
１６  下方小空間部
１７  連通路
１８  上方大空間部（第一音響干渉手段、音響干渉室）
２０  導電振動スピーカユニット
２１  コーン
２２  第一圧電素子（内側圧電素子）
２３  第二圧電素子（内側圧電素子）
２４  第三圧電素子（外側圧電素子）
２５  圧電振動スピーカユニット
２６  第一振動板
２７  心棒
２８  支持フレーム
２９  ゴムダンパー
３０  放音孔
３１  間座
３２  第二振動板
３３  空隙部（第二音響干渉手段、音響干渉界）
４０  ハイブリッド型スピーカシステム
４１  第一エンクロージャ
４２  導電振動スピーカユニット
４３  コーン
４４  バスレフポート
４５  貫通孔
４６  第二エンクロージャ
４７  圧電振動スピーカユニット
４８  第一圧電素子（内側圧電素子）
４９  第二圧電素子（内側圧電素子）
５０  第三圧電素子（外側圧電素子）
５１  第一振動板
５２  第二振動板
５３  音圧調整ブッシュ
５４  案内管
５５  間隙部
５６  間座
【図１】
2007180798.tif 000003
【図２】
2007180798.tif 000004
【図３】
2007180798.tif 000005
【図４】
2007180798.tif 000006